(57)【要約】【課題】移動容易性と設置時の安定性を損なわずに、設置後においては装置下部と床面の間の隙間に異物が進入するのを防止することができる画像形成装置を提供する。【解決手段】画像形成装置１１は、画像形成部１５と、筐体４０と、車輪６０と、遮蔽壁部５０とを備える。画像形成部１５は画像を形成する。筐体４０はその内方側に画像形成部１５が配置される。車輪６０は筐体４０の下部に取り付けられる。遮蔽壁部５０は、筐体４０内に少なくともその一部が収納可能に設けられ、筐体４０内に少なくともその一部が収納された第一の状態で、車輪６０が取り付けられた筐体４０の下部領域を露出し、筐体４０から取り出された第二の状態で、下部領域を筐体４０の外部から遮蔽する。【選択図】図４
2017151173.tif 000002
【特許請求の範囲】
【請求項１】
画像を形成する画像形成装置であって、
画像を形成する画像形成部と、
前記画像形成部がその内方側に配置される筐体と、
前記筐体の下部に取り付けられる車輪と、
前記筐体内に少なくともその一部が収納可能に設けられ、前記筐体内に少なくともその一部が収納された第一の状態に保持されることにより、前記車輪が取り付けられた前記筐体の下部領域を露出し、前記筐体から引き出された第二の状態に保持されることにより、前記下部領域を前記筐体の外部から遮蔽する遮蔽壁部とを備える、画像形成装置。
【請求項２】
前記遮蔽壁部は、四角筒状または略四角筒状であって、上下方向に移動可能であり、
前記筐体には、前記遮蔽壁部を収納する凹部が設けられている、請求項１に記載の画像形成装置。
【請求項３】
さらに、前記筐体に着脱可能に設けられ、前記画像形成部に供給される用紙がその内部に収容される用紙カセットと、
前記筐体に対して開閉可能に設けられるカバーと、
前記遮蔽壁部が前記第一の状態の時に、前記筐体に装着された前記用紙カセットの前記筐体から引き出される方向の移動の規制、および閉じられた前記カバーの開放の規制のうちの少なくともいずれか一方を可能とし、前記遮蔽壁部が前記第二の状態の時に、前記筐体に装着された前記用紙カセットの前記筐体から引き出される方向の移動の規制の解除、および閉じられた前記カバーの開放の規制の解除のうちの少なくともいずれか一方を可能とするロック機構とを備える、請求項１または２に記載の画像形成装置。
【請求項４】
前記ロック機構は、前記用紙カセットに設けられた突起部と、
前記遮蔽壁部に設けられ、前記第一の状態の時に前記突起部と引っ掛かり、前記第二の状態の時に前記突起部との引っ掛かりが解除される引っ掛け部とを備え、
前記引っ掛け部は、前記遮蔽壁部の動作に連動する、請求項３に記載の画像形成装置。
【請求項５】
前記用紙カセットには、前記遮蔽壁部を収納する凹部が設けられている、請求項３または４のいずれか１項に記載の画像形成装置。
【請求項６】
前記遮蔽壁部は、上下方向に垂直な方向であって、外方側に延びる突出部を含む、請求項１〜５のいずれか１項に記載の画像形成装置。
【請求項７】
前記突出部は、前記遮蔽壁部の下方側の端部に設けられている、請求項６に記載の画像形成装置。
【請求項８】
前記遮蔽壁部は、前記第二の状態の時に接地する、請求項１〜７のいずれか１項に記載の画像形成装置。
【請求項９】
前記遮蔽壁部のうちの前記第二の状態の時に接地する底面には、接地面に対する前記遮蔽壁部の移動を規制する移動規制部が設けられている、請求項８に記載の画像形成装置。
【発明の詳細な説明】
【技術分野】
【０００１】
この発明は、画像形成装置に関するものである。
【背景技術】
【０００２】
複合機に代表される画像形成装置や情報機器等においては、装置や機器を円滑に移動するための車輪（キャスター）が装置下部に取り付けられているものがある。
【０００３】
ここで、車輪が設けられた画像形成装置等について、複写機の設置時の安定性を高める技術が、特開平８−４４１３０号公報（特許文献１）に開示されている。特許文献１には、装置本体下面に設けられた少なくとも４箇のキャスターと、キャスターよりも数の少ない複数のアジャスターとを有する画像形成装置が開示されている。アジャスターは設置場所の床面に突き当てることにより、装置本体が動かないようにするためのものである。また隣接位置にアジャスターが配置されているキャスターのうち一部は設置場所の床面より離間するように構成されている。
【先行技術文献】
【特許文献】
【０００４】
【特許文献１】特開平８−４４１３０号公報
【発明の概要】
【発明が解決しようとする課題】
【０００５】
特許文献１に開示された技術は、画像形成装置の下部にキャスターを設けることにより、移動時には移動が容易でありながら、高さを調整可能なアジャスターを設けることによって設置後における複写機の安定性を高めるものである。しかしながら、キャスターやアジャスターを設けると画像形成装置の底部と床面の間には隙間が生じるため、用紙や留め具、粉じんなどの異物が侵入しやすくなる。
【０００６】
この発明の目的は、移動の円滑さと設置後の安定性を損なわずに、設置後においては装置下部と床面の間の隙間に異物が進入するのを防止することができる画像形成装置を提供することである。
【課題を解決するための手段】
【０００７】
この発明の一の局面においては、画像形成装置は、画像形成部と、筐体と、車輪と、遮蔽壁部とを備える。画像形成部は画像を形成する。筐体はその内方側に画像形成部が配置される。車輪は筐体の下部に取り付けられる。遮蔽壁部は、筐体内に少なくともその一部が収納可能に設けられ、筐体内に少なくともその一部が収納された第一の状態に保持されることにより、車輪が取り付けられた筐体の下部領域を露出し、筐体から引き出された第二の状態に保持されることにより、筐体の下部領域を筐体の外部から遮蔽する。
【発明の効果】
【０００８】
このような画像形成装置は筐体内にその少なくとも一部が収納可能に設けられた遮蔽壁部を備えている。遮蔽壁部は筐体内に収納された第一の状態から筐体から引き出された第二の状態へ、または第二の状態から第一の状態へと互いに移行可能である。これにより、第一の状態において車輪による画像形成装置の移動を円滑にする機能を損なうこと無く、第二の状態において画像形成装置の下部領域への粉塵や異物の侵入を防止できる。さらに遮蔽壁部は画像形成装置の下部の清潔性の維持や外観の向上にも寄与する。
【図面の簡単な説明】
【０００９】
【図１】この発明の一実施形態に係る画像形成装置を複合機として適用した場合の、その複合機の外観を概略的に示す概略図である。
【図２】図１に示す複合機の構成を示すブロック図である。
【図３】遮蔽壁部を複合機の底面側から見た図である。
【図４】図１に示す複合機の下部領域の拡大斜視図であって、遮蔽壁部の上部が筐体に収納された第一の状態を示す図である。
【図５】図１に示す複合機の下部領域の拡大斜視図であって、遮蔽壁部が筐体から引き出された第二の状態を示す図である。
【図６】遮蔽壁部の上部が筐体に収納された第一の状態の、図１に示す複合機の左下側内部の拡大図である。
【図７】遮蔽壁部の上部が筐体から引き出された第二の状態の、図１に示す複合機の左下側内部の拡大図である。
【図８】遮蔽壁部の上部が筐体に収納された第一の状態の、図１に示す複合機の正面前方部を示す図である。
【図９】遮蔽壁部の上部が筐体から引き出された第二の状態の、図１に示す複合機の正面前方部を示す図である。
【図１０】遮蔽壁部の底面に設けられた移動規制部を底面側から見た図である。
【発明を実施するための形態】
【００１０】
以下、この発明の実施の形態を説明する。図１は、この発明の一実施形態に係る画像形成装置を複合機１１として適用した場合の、その複合機１１の外観を概略的に示す概略図である。図２は、図１に示す複合機１１の構成を示すブロック図である。
【００１１】
図１および図２を参照して、複合機１１は、制御部１２と、操作部１３と、画像読み取り部１４と、画像形成部１５と、ハードディスク１６と、ファクシミリ通信部１７と、ネットワーク２５と接続するためのネットワークインターフェース部１８と、本体部を備える。
【００１２】
制御部１２は、複合機１１全体の制御を行う。操作部１３は、複合機１１側から発信する情報やユーザーの入力内容を表示する表示画面２１を含む。操作部１３は、印刷部数や階調性等の画像形成の条件や電源のオンまたはオフを入力させる。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、原稿の画像を読み取る。画像形成部１５は、トナーを用いて現像を行う現像装置２３を含む。画像形成部１５は、画像読み取り部１４により読み取られた画像やネットワーク２５を介して送信された画像データを基に、搬送されてきた用紙に画像を形成する。ハードディスク１６は、送信された画像データや入力された画像形成条件等の格納を行う。ファクシミリ通信部１７は、公衆回線２４に接続されており、ファクシミリ送信やファクシミリ受信を行う。
【００１３】
なお、複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）等を備えるが、これらについては、図示および説明を省略する。また、図２中の矢印は、制御信号や制御、画像に関するデータの流れを示している。
【００１４】
複合機１１は、画像読み取り部１４により読み取られた原稿を用いて画像形成部１５において画像を形成することにより、複写機として作動する。また、複合機１１は、ネットワークインターフェース部１８を通じて、ネットワーク２５に接続されたコンピューター２６ａ、２６ｂ、２６ｃから送信された画像データを用いて、画像形成部１５において画像を形成して用紙に印刷することにより、プリンターとして作動する。すなわち、画像形成部１５は、要求された画像を印刷する印刷部として作動する。また、複合機１１は、ファクシミリ通信部１７を通じて、公衆回線２４から送信された画像データを用いて、ＤＲＡＭを介して画像形成部１５において画像を形成することにより、また、画像読み取り部１４により読み取られた原稿の画像データを、ファクシミリ通信部１７を通じて公衆回線２４に画像データを送信することにより、ファクシミリ装置として作動する。複合機１１は、画像処理に関し、複写機能、プリンター機能、ファクシミリ機能等、複数の機能を有する。さらに、各機能に対しても、詳細に設定可能な機能を有する。
【００１５】
図１に示す複合機１１を含む画像形成システム２７は、上記した構成の複合機１１と、ネットワーク２５を介して複合機１１に接続される複数のコンピューター２６ａ、２６ｂ、２６ｃとを備える。この実施形態においては、複数のコンピューター２６ａ〜２６ｃについては、３台示している。各コンピューター２６ａ〜２６ｃはそれぞれ、複合機１１に対して、ネットワーク２５を介して印刷要求を行って印刷をすることができる。複合機１１とコンピューター２６ａ〜２６ｃとは、ＬＡＮ（Ｌｏｃａｌ  Ａｒｅａ  Ｎｅｔｗｏｒｋ）ケーブル等を用いて有線で接続されていてもよいし、無線で接続されていてもよく、ネットワーク２５内には、他の複合機やサーバーが接続されている構成でもよい。
【００１６】
複合機１１は、筐体４０に着脱可能に設けられ、画像形成部１５に供給される用紙がその内部に収容される第一の用紙カセット２９ａ、第二の用紙カセット２９ｂ、および第三の用紙カセット２９ｃを備えている。用紙カセット２９ａ、２９ｂ、２９ｃは、上から順に配置されている。すなわち、画像形成部１５に最も近い最上部には、第一の用紙カセット２９ａが配置され、その下方に第二の用紙カセット２９ｂが配置され、最下部には、第三の用紙カセット２９ｃが配置される。
【００１７】
複合機１１は筐体４０に対して開閉可能に設けられる、フロントカバー４１やサイドカバー４２を含むカバーを備える。フロントカバー４１やサイドカバー４２は、複合機１１の通常運転時には閉鎖されているが、フロントカバー４１を開放することにより、トナーカットリッジなどの現像装置２３の一部や全部を交換することができる。また紙詰まりなどの原因により画像形成動作中に画像形成が中断された場合には、フロントカバー４１とサイドカバー４２を開放することにより、複合機１１の内部に残存する用紙を取り除くことができる。
【００１８】
複合機１１は、その下部領域に複数の車輪６０が取り付けられている。車輪６０は複合機１１の底面の各角の近傍に少なくとも４つ取り付けられる。車輪６０を備えることにより複合機１１を円滑に移動させることができる。また車輪６０を取り付けることにより、複合機１１の下部領域に隙間が生じる。
【００１９】
複合機１１は、筐体４０内に少なくともその一部が収納可能に設けられ、筐体４０内に少なくともその一部が収納された第一の状態に保持されることにより、車輪６０が取り付けられた筐体４０の下部領域を露出し、筐体４０から引き出された第二の状態に保持されることにより、下部領域を筐体４０の外部から遮蔽する遮蔽壁部５０を備える。上記第一の状態と第二の状態は互いに移行可能である。
【００２０】
図３は遮蔽壁部５０を複合機１１の底面側から見た図である。矢印Ｄ１が指す側が複合機１１の前面側（図１に示す複合機１１の紙面手前側）、矢印Ｄ２指す側が複合機１１の背面側（図１に示す複合機１１の紙面奥側）である。また矢印Ｄ３が指す側が図１に示す複合機１１側から見て右側、Ｄ４が左側である。図３を参照して、遮蔽壁部５０は、四辺が一体となった略四角筒状である。略四角筒状の遮蔽壁部５０は上下方向（図１に示す複合機１１の上下方向）に移動可能であり、遮蔽壁部５０を上下方向に移動させることにより、上記第一の状態と第二の状態を互いに移行可能である。また図５に示すように、遮蔽壁部５０は、その四辺が一体となった略四角筒状であることにより、前側、背面側、左側、右側の四つの面の動きを一度に行うことができる。すなわち、上記第一の状態から上記第二の状態への移行、および上記第二の状態から上記第一の状態への移行が容易である。
【００２１】
図１に示すように、遮蔽壁部５０は、第三の用紙カセット２９ｃの更に下部の領域に設けられている。図４は、複合機１１の下部領域を拡大した拡大斜視図であって、遮蔽壁部５０の上部が筐体４０に収納された第一の状態を示す図である。第一の状態は複合機１１の移動時の状態に相当する。図４においては、遮蔽壁部５０の上方側の一部が筐体４０内に収納されているため遮蔽壁部５０と床面８０との間には隙間がある。この第一の状態に保持されることにより、車輪６０が取り付けられた筐体４０の下部領域が露出される。この第一の状態では、車輪６０の回転運動が制限されないことから、複合機１１は円滑に移動することができる。
【００２２】
これに対し、図５は複合機１１の下部領域の拡大斜視図であって、遮蔽壁部５０が筐体４０から引き出された第二の状態を示す図である。第二の状態は、複合機１１の設置後の状態に相当する。図５を参照して、遮蔽壁部５０は床面８０に接地するように筐体４０から下方に引き出されている。この第二の状態に保持されることにより、複合機１１の下部領域が筐体４０の外部から遮蔽され、その下部領域への異物や粉じんなどの侵入を防ぐ。また第二の状態において、遮蔽壁部５０は転倒防止部材としても働き、複合機１１を安定に配置することができる。
【００２３】
図４および図５を参照して、遮蔽壁部５０は、上下方向に垂直な方向であって、遮蔽壁部５０から外方側に延びる突出部５１を備える。突出部５１が存在することで、遮蔽壁部５０を上下に運動させることが容易になる。すなわち、第一の状態から第二の状態への移行、および第二の状態から第一の状態への移行が容易になる。図４および図５においては、突出部５１は遮蔽壁部５０の下方側の端部に設けられている。突出部５１を下方側の端部に設けることにより、突出部５１はペダルとして働き、第一の状態から第二の状態への移行時に、作業者が突出部５１を足で踏むことで容易に移行を行うことができる。また第二の状態（複合機１１の設置後の状態）において作業時の邪魔にならないという利点がある。
【００２４】
この発明の好ましい一実施形態においては、複合機１１は、図６および図７に示すようなロック機構７０を備える。ロック機構７０は、遮蔽壁部５０が上記第一の状態の時（移動時の状態に相当）には、筐体４０に装着された上記用紙カセット２９ａ、２９ｂ、２９ｃの筐体４０から引き出される方向の移動の規制、および閉じられた上記カバー４１または４２の開放の規制のうちの少なくともいずれか一方を可能とする。また、ロック機構７０は、遮蔽壁部５０が上記第二の状態の時（設置後の状態に相当）には、筐体４０に装着された上記用紙カセット２９ａ、２９ｂ、２９ｃの筐体４０から引き出される方向の移動の規制の解除、および閉じられた上記カバー４１または４２の開放の規制の解除のうちの少なくともいずれか一方を可能とする。このロック機構７０により、画像形成装置の移動時に相当する第一の状態の時に、用紙カセット２９ａ、２９ｂ、２９ｃが不意に（移動の勢いで）引き出されたり、上記カバー４１または４２が不意に開いたりすることを防止できる。
【００２５】
図６は上記第一の状態（移動時の状態に相当）における、図１に示す複合機１１の左下側内部の拡大図である。矢印Ｄ４が指す方向は、図１に示す複合機１１側から見て左側方向である。図６および図７にはロック機構７０の一例が示されている。このロック機構７０は遮蔽壁部５０に設けられ、第一の状態の時には突起部７５と引っ掛かり（図６）、第二の状態の時に突起部７５との引っ掛かりが解除される（図７）。また引っ掛け部７３は、遮蔽壁部５０の動作に連動する。
【００２６】
ロック機構７０についてより詳細に説明する。図６を参照して、ロック機構７０は、支持軸７２を中心に引っ掛け部７３が回転可能に支持されており、引っ掛け部７３は、結合軸７１によって遮蔽壁部５０と結合されている。引っ掛け部７３の先端部は、結合軸７１を通じて、遮蔽壁部５０の上下運動と連動して、遮蔽壁部５０の運動方向とは逆の方向に移動可能である。第一の状態においては遮蔽壁部５０が上方に移動している。この遮蔽壁部５０の運動に連動して、引っ掛け部７３の先端のカギ状部が逆に下方に下がり、それによりそのカギ状部は突起部７５に掛合し、第三の用紙カセット２９ｃをロックする。このようなロック機構７０を有することにより、複合機１１の移動時に、より確実に第三の用紙カセット２９ｃをロックすることができる。この第一の状態においては、遮蔽壁部５０は床面８０から離間しており、車輪６０は自在に回転可能である。
【００２７】
図７は、図６に示す複合機１１の左下側内部が、第二の状態（設置後の状態に相当）に移行した状態を示す図である。遮蔽壁部５０は筐体４０から下方に引き出され、遮蔽壁部５０の下面は床面８０と接している。この遮蔽壁部５０の下方向への運動に連動して、引っ掛け部７３の先端のカギ状部が上方に上がり、それによりそのカギ状部と突起部７５の掛合が解消される。その結果、第三の用紙カセット２９ｃは開放され、引き出したり収納したりすることが可能となる。この第二の状態においては、遮蔽壁部５０の下面が床面８０に接地しており、遮蔽壁部５０の下面と床面８０の間に働く摩擦力により車輪６０の回転が制限される。
【００２８】
図８は遮蔽壁部５０の上部が筐体４０に収納された第一の状態（移動時の状態に相当）の、複合機１１の前方部を示す図である。第三の用紙カセット２９ｃはＤ１方向（複合機１１の前面側）に引き出される。しかしながら、第一の状態においては遮蔽壁部５０が上方に移動することにより、遮蔽壁部５０が第三の用紙カセット２９ｃをＤ１方向へ引き出す際の障壁となっている。この機構により、複合機１１の移動時に第三の用紙カセット２９ｃが移動の勢いで不意に引き出されるのを防止することができる。
【００２９】
図９は、遮蔽壁部５０の上部が筐体４０から引き出された第二の状態（設置後の状態に相当）の、複合機１１の前方部を示す図である。図８に示す第一の状態から、図９に示す第二の状態に移行するには、上下方向に垂直な方向であって、遮蔽壁部５０から外方側に延びる突出部５１を下方に下げる。この突出部５１は足で踏むことにより押し下げることができ、容易に第一の状態から第二の状態へと移行できる。この第二の状態においては、遮蔽壁部５０の上面が第三の用紙カセット２９ｃの底部よりも低い位置にあるため、第三の用紙カセット２９ｃをＤ１方向へ引き出したり、Ｄ２方向へ収納したりすることができる。
【００３０】
また図９においては、遮蔽壁部５０の底面は床面８０に接地している。遮蔽壁部５０が接地することにより、第二の状態の時に下部領域の遮蔽度合いを高めて、より粉じんの侵入を防ぐことが可能となる。
【００３１】
図６および図７を参照して、筐体４０には、遮蔽壁部５０を上下方向に移動可能にするために、遮蔽壁部５０を収納する凹部７６が設けられている。図６に示す上記第一の状態においては、遮蔽壁部５０は上方に移動し、その上部が凹部７６に収納される。これに対し、図７に示す上記第二の状態においては、遮蔽壁部５０は下方に移動し、凹部７６の内部に空間が生じる。このように凹部７６の存在により遮蔽壁部５０を適切な位置に配置させることが可能である。
【００３２】
同様に第三の用紙カセット２９ｃには、遮蔽壁部５０を上下方向に移動可能にするために、遮蔽壁部５０を収納する凹部７７が設けられている。図８に示す上記第一の状態においては、遮蔽壁部５０は上方に移動し、その上部が凹部７７に収納される。これに対し、図９に示す上記第二の状態においては、遮蔽壁部５０は下方に移動し、凹部７７の内部に空間が生じる。このように凹部７７の存在により遮蔽壁部５０を適切な位置に配置させることが可能である。
【００３３】
また図示していないが、遮蔽壁部５０を上記第一または第二の状態に保持するために、複合機１１は、遮蔽壁部５０の位置決め部や保持部、可動部を備える。これらにより、上記第一または第二の状態それぞれにおいて、遮蔽壁部５０を適切な位置に配置し、その位置に保持することが可能である。
【００３４】
この発明の好ましい実施形態においては、遮蔽壁部５０のうちの上記第二の状態の時に接地する底面には、接地面に対する遮蔽壁部５０の移動を規制する移動規制部５２が設けられている。図１０を参照して、移動規制部５２は静的摩擦係数が高い材料から形成されており、この特徴により、底面８０に対して遮蔽壁部５０の移動が規制される。その結果、複合機１１を設置したときの安定性が高まる。さらに床面８０と遮蔽壁５０の間の密着性が高まるため、粉じんなどの異物がより侵入し難くなる。移動規制部５２の材質としては、密封性と摩擦係数が高い素材が好ましく、特に限定されないが、例えばゴムやエラストマー、その他の高分子材料などの弾性素材が挙げられる。
【００３５】
以上がこの発明に係る画像形成装置である。なお、図６および図７には、第三の用紙カセット２９ｃをロックするロック機構７０のみが記載されているが、第一の用紙カセット２９ａ、第二の用紙カセット２９ｂに対しても同様のロック機構を設けてもよい。また複合機１１がさらに多数の用紙カセットを備える場合には、その用紙カセットの数に対応する数の、同様のロック機構を設けることもできる。またロック機構７０は省略してもよい。
【００３６】
図７および図９においては、遮蔽壁部５０の下面と車輪６０の底面はいずれも床面８０に設置しているが、設置時に相当する第二の状態においては、遮蔽壁部５０の下面のみを設置させ、車輪６０が地面から離間するようにしてもよい。これにより、車輪６０の回転はより制限される。
【００３７】
また上記実施形態においては遮蔽壁部５０に突出部５１が設けられている例を挙げたが、突出部５１は必須ではなく、省略することもできる。代わりに遮蔽壁部５０の手動での上下の移動を容易にする凹部や凸部を設けてもよい。また上記実施形態において、上記第二の状態に移行する際に突出部５１を足で踏んで遮蔽壁部５０が容易に下方に移動できるように、突出部５１は遮蔽壁部５０の下方側の端部に設けられているが、突出部５１の配置はこれに限定されない。例えば突出部５１が手で上下に移動できるように、より上方に設けられていてもよい。
【００３８】
さらに、上記実施形態においては突出部５１が遮蔽壁部５０の前方（図１の紙面手前方向側）の面のみに配置されているが、必要に応じて側面部や背面部に設けてもよい。
【００３９】
遮蔽壁部５０は四つの面の上下方向の長さが同一でなくてもよい。例えば、図７および図８に示すような遮蔽壁部５０の側面部の方が、図８および図９に示すような遮蔽壁部５０の前方部よりも上下方向の長さが長くてもよい。
【００４０】
また図５においては、遮蔽壁部５０は四辺に切れ目がない、一体の略四角筒状の形態として示されているが、四辺は一体化されていなくてもよい。すなわち遮蔽壁部５０は、前面、２つの側面、および背面がそれぞれ独立した部材であってもよく、また例えば隣接する二つまたは三つの面が連結した部材を含んでいてもよい。さらに、遮蔽壁部５０は必ずしも略四角筒状である必要はない。例えば部屋の壁面と複合機１１の背面や側面が接するように接地する場合には、遮蔽壁部５０のうち複合機１１の背面側（図１の紙面奥側）あるいは側面側の面を省略してもよい。
【００４１】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４２】
この発明に係る画像形成装置は、移動の円滑さと設置後の安定性を損なわずに、設置後においては装置下部と床面の間の隙間に異物が進入するのを防止することが要求される場合に、特に有効に利用される。
【符号の説明】
【００４３】
１１  複合機、１２  制御部、１３  操作部、１４  画像読み取り部、１５  画像形成部、１６  ハードディスク、１７  ファクシミリ通信部、１８  ネットワークインターフェース部、２１  表示画面、２２  ＡＤＦ、２３  現像装置、２４  公衆回線、２５  ネットワーク、２６ａ，２６ｂ，２６ｃ  コンピューター、２７  画像形成システム、２９ａ  第一の用紙カセット、２９ｂ  第二の用紙カセット、２９ｃ  第三の用紙カセット、４０  筐体、４１  フロントカバー、４２  サイドカバー、５０  遮蔽壁部、５１  突出部、５２  移動規制部、６０  車輪、７０  ロック機構、７１  結合軸、７２  支持軸、７３  引っ掛け部、７５  突起部、７６  凹部、７７  凹部、８０  床面。
【図１】
2017151173.tif 000003
【図２】
2017151173.tif 000004
【図３】
2017151173.tif 000005
【図４】
2017151173.tif 000006
【図５】
2017151173.tif 000007
【図６】
2017151173.tif 000008
【図７】
2017151173.tif 000009
【図８】
2017151173.tif 000010
【図９】
2017151173.tif 000011
【図１０】
2017151173.tif 000012